(57)【特許請求の範囲】
【請求項１】
既存建物の天井裏に増設する増設配管の支持方法において、
前記天井裏に隣接して設けられる既存の２本の吊りボルトの各々に、固定具と、２つのＵ字状ナットを相互に回動自在に重ね合わせて一体化し、一方のＵ字状ナットを前記固定具に溶着させた中間挿入式ナットとを側方から配置し、該中間挿入式ナットの他方のＵ字状ナットを前記一方のＵ字状ナットに対して相対的に回転させて、該中間挿入式ナットを前記各吊りボルトに螺合させることにより、前記固定具を前記各吊りボルトに固定し、
前記両固定具間に配管支持バーを架け渡して、該配管支持バーの両端部をボルト・ナットにより各固定具に固定し、
前記配管支持バーに配管保持具を固定し、
該配管保持具に増設配管を固定することを特徴とする増設配管の支持方法。
【請求項２】
前記各固定具と前記配管支持バーとの間には防振材が介装されていることを特徴とする請求項１に記載の増設配管の支持方法。
【発明の詳細な説明】
【０００１】
【発明の属する技術分野】
本発明は既存建物の天井裏に増設する増設配管の支持方法に関する。
【０００２】
【従来の技術】
従来、既存建物の天井裏に新たに配管を増設する場合には、天井が吊り下げられている床スラブに新たにアンカーを打ち込み、その下端に配管固定具を固定し、この配管固定具に増設配管を支持させて床スラブから吊り下げている。
【０００３】
【発明が解決しようとする課題】
しかしながら、床スラブにアンカーを打設するには、ドリルによる下穴の穴開け作業やアンカーを打ち込む作業を行うために騒音が発生し、この音が躯体に伝搬して建物全体に鳴り響いてしまう。殊に、このアンカー打設作業が既存建物における配管増設工事の場合には、その既存建物に居住する住民の生活に障害を与える虞がある。まして、ドリルによる穴開け作業は、床スラブを掘削するため粉塵が発生し、生活環境を一時的に悪化させる虞がある。
【０００４】
また、アンカーを打ち込む床スラブには、建物の竣工当初から電気配線用の配管や配線そのものが埋設されているため、打ち込むアンカーやドリルによる穴開け作業によってその配管や配線を損傷させてしまう虞があるという課題があった。
【０００５】
そこで、本発明はかかる従来の課題に鑑みて、騒音や粉塵を発生させることなく配管を増設することができる増設配管の支持方法を提供することを目的とする。
【０００６】
【課題を解決するための手段】
かかる目的を達成するために、本発明の請求項１に係る増設配管の支持方法は、既存建物の天井裏に増設する増設配管の支持方法において、前記天井裏に隣接して設けられる既存の２本の吊りボルトの各々に、固定具と、２つのＵ字状ナットを相互に回動自在に重ね合わせて一体化し、一方のＵ字状ナットを前記固定具に溶着させた中間挿入式ナットとを側方から配置し、該中間挿入式ナットの他方のＵ字状ナットを前記一方のＵ字状ナットに対して相対的に回転させて、該中間挿入式ナットを前記各吊りボルトに螺合させることにより、前記固定具を前記各吊りボルトに固定し、前記両固定具間に配管支持バーを架け渡して、該配管支持バーの両端部をボルト・ナットにより各固定具に固定し、前記配管支持バーに配管保持具を固定し、該配管保持具に増設配管を固定することを特徴とする。
【０００７】
本発明による増設配管の支持方法によれば、天井裏に隣接して設けられる既存の２本の吊りボルトの各々に、固定具と、２つのＵ字状ナットを相互に回動自在に重ね合わせて一体化し、一方のＵ字状ナットを前記固定具に溶着させた中間挿入式ナットとを側方から配置し、該中間挿入式ナットの他方のＵ字状ナットを前記一方のＵ字状ナットに対して相対的に回転させて、該中間挿入式ナットを前記各吊りボルトに螺合させることにより、前記固定具を前記各吊りボルトに固定し、両固定具間に配管支持バーを架け渡して、配管支持バーの両端部をボルト・ナットにより各固定具に固定し、配管支持バーに配管保持具を固定し、配管保持具に増設配管を固定するように構成したので、配管を増設するために、床スラブに新たにアンカーを打ち込み、そのアンカーの下端に配管固定具を固定し、配管固定具に増設配管を支持する必要がなくなる。
従って、床スラブにアンカーを打ち込むための下穴をドリルで開けたり、下穴にアンカーを打ち込む作業が不要になるので、粉塵や騒音を発生させることなく配管を増設することができる。また、アンカーを打ち込む必要がないので、アンカーを打ち込むための墨出し作業、ドリルによる穴開け等の作業が不要となり、それらの作業に要する手間を削減することができ、工期を短縮することができる。さらに、床スラブ内に埋設されている電気用の配管や配線を損傷させる虞がないので、無用な配慮をすることなく配管の増設作業を容易に行うことができる。
さらに、２本の吊りボルトの各々に、固定具と中間挿入式ナットとを側方から配置し、中間挿入式ナットの他方のＵ字状ナットを一方のＵ字状ナットに対して相対的に回転させて、中間挿入式ナットを各吊りボルトに螺合させることにより、固定具を各吊りボルトに固定できるので、作業の障害とならないかぎり吊りボルトに取り付けられている部材を取り外すことなく、固定具、配管支持バー、及び配管保持具を吊りボルトに取り付けることができる。従って、吊りボルトに既に取り付けられている部材の脱着作業を極めて少なくすることができるので、配管を増設する作業に要する時間を短縮することができる。
【０００８】
また、本発明の請求項２に係る増設配管の支持方法は、請求項１に記載の増設配管の支持方法であって、前記各固定具と前記配管支持バーとの間には防振材が介装されていることを特徴とする。
【０００９】
本発明による増設配管の支持方法によれば、各固定具と配管支持バーとの間には防振材が介装されているので、増設配管の振動が吊りボルトから天井や躯体に伝播して騒音が発生することはない。また、振動によって天井材等に既に取り付けられている部材が損傷を受けることを防止できる。さらに、床スラブ、天井材及び吊りボルトに取り付けられている部材からの振動も増設配管に伝播されないため、増設配管同士の接合部の緩みや、それらが外れるのを防止できる。
【００１０】
【発明の実施の形態】
以下に、本発明の好適な実施形態を添付図面を参照して詳細に説明する。
図１〜４は本願発明の増設配管の支持方法の第１実施形態を示し、図１は本実施形態の増設配管の支持方法を示す構成図であり、図２は図１のＡ部を示す詳細図であり、図３は図２の側面図であり、図４は固定具の説明図である。
【００１１】
本願発明の第１実施形態では、増設配管を取り付ける吊りボルトを、既存建物１０の床スラブ１０ａから天井材１０ｂを吊り下げるために複数設けられている天井吊りボルト１２とし、それら天井吊りボルト１２のうち隣接する２本の天井吊りボルト１２間に増設配管２４を増設する方法を例に説明する。
【００１２】
図示するように、本発明の増設配管の支持方法は、既存建物１０の床スラブ１０ａから垂設され、その下端部に野縁受けハンガー３０および野縁受け３２を介して天井材１０ｂが吊り下げられている２本の天井吊りボルト１２間に、配管支持部材１４を側方から架け渡して固定し、この配管支持部材１４に増設配管２４を取り付ける。
【００１３】
詳述すると、上記配管支持部材１４は、上記２本の天井吊りボルト１２のスパンより長いＬ型鋼でなる配管支持バー１６と、この配管支持バー１６の両端部に配置されるＬ型鋼でなる固定具１８と、配管支持バー１６の中央部から垂下され表面にねじが形成された鋼棒でなる支持ロッド２０と、この支持ロッド２０の下端部にナットで固定される周知の配管保持具２２とで構成されている。
【００１４】
上記配管支持部材１４は、先ず固定具１８を天井吊りボルト１２に取り付ける。上記固定具１８をなすＬ型鋼の２枚の板部の一方には、その長手方向の端部から角部方向に、上記天井吊りボルト１２が入り込む切り欠き部１８ａが形成され、さらに、この切り欠き部１８ａと固定具１８の長手方向に間隔を隔てて設けられ上記配管支持バー１６を固定するための固定孔１８ｂが設けられている。
【００１５】
また、この固定具１８の切り欠き部１８ａの位置には、Ｌ型鋼の他方の板部が設けられている側の面に中間挿入式ナット２６が溶接されている。この中間挿入式ナット２６は、周知の六角ナットのねじ孔部がその中心から一側方に向かって、その孔径の幅で切り取られた開放孔２６ａを有する２つのＵ字状ナットが、その孔中心が一致するように重ね合わせられ、相互に回動自在に一体化された特殊なナットである。
【００１６】
即ち、この中間挿入式ナット２６の２つのＵ字状ナットの開放孔２６ａの位置を上下に一致させ、この開放孔２６ａに中間挿入式ナット２６の側方からボルトを挿入し、一方の上記Ｕ字状ナットを１８０゜回転させることによって、上下の開放孔２６ａの開放部がボルトを取り囲んで螺合するというものである。そして、この中間挿入式ナット２６は、溶接される側のＵ字状ナットの開放孔２６ａと固定具１８の切り欠き部１８ａとが一致する状態で溶着されている。
【００１７】
そして、上記固定具１８の切り欠き部１８ａの開放された位置と、中間挿入式ナット２６の２つのＵ字状ナットの各開放孔２６ａの開放された位置とを一致させておく。この状態で、固定具１８はその切り欠き部１８ａが設けられた板部が水平面をなし、且つ他方の板部および中間挿入式ナット２６を下側に位置させる。この固定具１８をその切り欠き部１８ａに天井吊りボルト１２が入り込むように、天井吊りボルト１２の側方から配置し、中間挿入式ナット２６の溶着されていないＵ字状ナットを回転させて天井吊りボルト１２に螺合させ、固定具１８を固定する。このとき、隣接するもう一方の天井吊りボルト１２にも同様の方法で固定具１８を取り付け、各固定具１８がなす水平面の高さが同じ高さになるように、且つ両固定具１８が平行をなし、架け渡される配管支持バー１６と直交するように配置する。
【００１８】
次に上記配管支持バー１６を上記両固定具１８の上に架け渡して固定する。
上記配管支持バー１６の両端部には、Ｌ型鋼の一方の板部に上記固定具１８の固定孔１８ｂとともに、配管支持バー１６と固定具１８とを固定するボルトが挿通される挿通孔がそれぞれ設けられている。そしてこれら挿通孔の中間の位置に上記支持ロッド２０が貫通される貫通孔が設けられている。
【００１９】
そして、この配管支持バー１６は、そのボルトの挿通孔が設けられた板部が水平面をなし、且つ他方の板部が上側に位置する状態で上記固定具１８の上に載置する。次に、固定具１８の固定孔１８ｂにボルトを挿通するともに、固定具１８と配管支持バー１６との間に防振材をなす円筒状の防振ゴム２８を介在させ、この防振ゴム２８と配管支持バー１６の挿通孔とに上記ボルトを貫通させてナットで固定する。
そして、この配管支持バー１６の貫通孔に上記支持ロッド２０をナットで固定し、さらに、この支持ロッド２０の下端に配管保持具２２をナットで固定する。
【００２０】
最後に、この配管保持具２２に増設配管２４を所定の固定方法で固定して、配管支持バー１６から吊り下げる。
【００２１】
以上の構成による本実施形態の増設配管の支持方法によれば、増設配管２４が固定されている配管保持具２２、支持ロッド２０および配管支持バー１６は固定具１８を介して既存建物１０の既存の天井吊りボルト１２に取り付けられるので、配管２４を増設するために床スラブ１０ａに配管保持具２２やこれを設置するための部材を取り付けたり、この配管保持具２２を取り付けるアンカーを新たに床スラブ１０ａに設ける必要がない。よって、床スラブ１０ａにドリルで穴を開けたり、アンカーを打ち込んだりしないので、増設配管２４の増設作業によって騒音や粉塵を発生させることなく配管２４を増設することができる。また、アンカーを新たに設けないので、墨出しや電気ドリルによる床スラブ１０ａへの穴開けをすることなく、短時間で施工することができる。
【００２２】
また、床スラブ１０ａ内に埋設されている電気用の配管や配線を切断する虞は全くないので、既存建物１０の設備を損傷することはない。したがって、施工にあたって無用な配慮をすることなく容易に施工することができる。
【００２３】
また、天井吊りボルト１２と配管支持バー１６との接合部分となる固定具１８には、天井吊りボルト１２にその側方から取り付けられるように切り欠き部１８ａが設けられ、その天井吊りボルト１２に側方から螺合される中間挿入式ナット２６で固定具１８が固定されるので、天井材１０ｂは必要に応じて天井吊りボルト１２から取り外すものの、野縁受け３２は取り外すことなく固定具１８を取り付けることができるため、施工時間を大幅に短縮することができる。
【００２４】
また、固定具１８と配管支持バー１６との間に防振ゴム２８を介装させて増設配管２４を取り付けたので、増設配管２４で発生する振動が天井材１０ｂに伝搬されることを防止できる。また、床スラブ１０ａからの振動も配管２４に伝搬されないので、増設配管２４同士の接合部の緩みや、それらが外れることを防止できる。本実施形態では、防振ゴム２８を固定具１８と配管支持バー１６との間に介装させたが、防振材はゴムに限らず、またこれを介装する位置もこの位置に限るものではない。
【００２５】
また、本実施形態においては、配管支持バー１６に固定孔や貫通孔を形成した形態を示したが、図５に示すように長孔が複数設けられた周知のＬ型アングル材１７を用いれば、既存建物１０の天井吊りボルト１２の位置に対する位置合わせが容易になり作業効率が向上するとともに、汎用性が向上し他の現場への転用も可能となることによってコストの低減を図ることができる。
【００２６】
上記実施形態では、配管支持部材１４の各部材を現場で一つずつ取り付けていく方法を示したが、配管支持部材１４を予め仮組立して現場に搬入し、仮組立した配管支持部材１４を天井吊りボルト１２に固定すると、天井裏の狭く足場の悪い現場での作業を簡略化することができる。
【００２７】
本実施形態では、配管支持バー１６および固定具１８をＬ型鋼としたがこれに限らず、断面コ字状、Ｃ字状のチャンネル材または角型パイプ等でも構わない。
また、本実施形態では、配管支持部材１４を２本の天井吊りボルト１２間に架け渡した例を示したが、増設配管２４を支持する天井吊りボルト１２は１本でも構わない。
【００２８】
次に、本発明の第２実施形態を図面を参照して説明する。ここで、本実施形態の全体的な概略構成は前述の第１実施形態の構成とほぼ同じであり、よって同一の部材には同一の符号を付して、その相違点についてのみ説明する。
【００２９】
図６〜８は本発明の第２実施形態を示し、図６は本実施形態の増設配管の支持方法を示す構成図であり、図７は図６のＢ部を示す詳細図であり、図８は図７の側面図である。
【００３０】
本実施形態は、上記第１実施形態の配管支持バー１６を既存建物１０の天井材１０ｂの野縁受け３２として用いられるチャンネル材とし、固定具１８を既存建物１０において上記チャンネル材を保持して天井吊りボルト１２の下端に取り付けられる野縁受けハンガー３０に加工を加えた固定具１８ｃを使用する形態である。
【００３１】
この固定具１８ｃは、帯状の板材が折曲げられて、チャンネル材が上方から差し込まれて保持されるフック１８ｄが形成され、フック１８ｄの一方の上端部は水平に折曲げられて天井吊りボルト１２への取付部１８ｅが形成され、この取付部１８ｅに切り欠き部が設けられ、その下面には中間挿入式ナット２６が溶着されている。
【００３２】
そして、配管支持部材１４の取付方法は、先ず隣接する２本の天井吊りボルト１２に上記２つの固定具１８ｃをその切り欠き部に天井吊りボルト１２が入り込むようにそれぞれ配置し、中間挿入式ナット２６で天井吊りボルト１２にそれぞれ固定する。これら固定具１８ｃの各フック１８ｄにチャンネル材でなる配管支持バー１６ｂを架け渡して保持させる。
【００３３】
次に、上記野縁受けハンガー３０を、その上下方向を逆にして、それが備えるフックを上記配管支持バー１６ｂに掛ける。この状態で、野縁受けハンガー３０の下方に位置し本来天井吊りボルトが取り付けられる孔に上記支持ロッド２０をナットで固定し、その下端に配管保持具２２を固定する。さらに、この配管保持具２２に増設配管２４を所定の固定方法で固定して配管支持バー１６ｂから吊り下げる。
【００３４】
本実施形態によれば、固定具１８ｃへの配管支持バー１６ｂの取り付けはフック１８ｄに掛けるだけであり、配管支持バー１６ｂへの支持ロッド２０の取り付けはフックを掛けるだけなので、極めて容易であり工具も必要としない。よって現場作業の時間を大幅に短縮することができる。
【００３５】
また、配管支持バー１６ｂに対し固定具１８ｃはスライドさせることができる。したがって、固定具１８ｃの取り付け位置は、架け渡す天井吊りボルト１２のスパンに合わせて現場で自由に設定することができ、煩雑な位置決め作業が必要なく、さらに汎用性が向上する。
【００３６】
また、既存のチャンネル材でなる野縁受け３２と既存の野縁受けハンガー３０とを使用するので、新たに発生する部材が少なくコストを大幅に低減することができる。
【００３７】
上記実施形態においては、増設配管を固定する吊りボルトを天井吊りボルトとしたが、これに限らず既存のダクトや配管等の吊りボルトを用いても構わない。
【００３８】
【発明の効果】
以上、説明したように、本発明の請求項１に係る増設配管の支持方法によれば、配管を増設するために、床スラブに新たにアンカーを打ち込み、そのアンカーの下端に配管固定具を固定し、配管固定具に増設配管を支持する必要がなくなるので、粉塵や騒音を発生させることなく配管を増設することができる。また、配管の増設に要する手間を削減することができ、工期を短縮することができる。さらに、床スラブ内に埋設されている電気用の配管や配線を損傷させる虞がないので、配管の増設作業を容易に行うことができる。
さらに、２本の吊りボルトの各々に、固定具と中間挿入式ナットとを側方から配置し、中間挿入式ナットの他方のＵ字状ナットを一方のＵ字状ナットに対して相対的に回転させて、中間挿入式ナットを各吊りボルトに螺合させることにより、固定具を各吊りボルトに固定できるので、作業の障害とならないかぎり吊りボルトに取り付けられている部材を取り外す必要がないので、配管を増設する作業に要する時間を短縮することができる。
【００３９】
さらに、本発明の請求項２に係る増設配管の支持方法によれば、各固定具と配管支持バーとの間に防振材が介装されているので、増設配管の振動が吊りボルトから天井や躯体に伝播して騒音が発生するようなことはない。また、床スラブ、天井材及び吊りボルトに取り付けられている部材からの振動も増設配管に伝播されないので、増設配管同士の接合部の緩みや、それらが外れるのを防止できる。
【図面の簡単な説明】
【図１】本発明の第１実施形態にかかる増設配管の支持方法を示す構成図である。
【図２】図１のＡ部を示す詳細正面図である。
【図３】図２の側面図である。
【図４】固定具の説明図である。
【図５】配管支持バーの変形例を示す斜視図である。
【図６】本発明の第２実施形態にかかる増設配管の支持方法を示す構成図である。
【図７】図６のＢ部を示す詳細正面図である。
【図８】図７の側面図である。
【符号の説明】
１０  既存建物
１０ａ  床スラブ
１０ｂ  天井材
１２  天井吊りボルト（吊りボルト）
１４  配管支持部材
２４  増設配管
２８  防振ゴム（防振材）
【図１】
0003915372.tif 000002
【図２】
0003915372.tif 000003
【図３】
0003915372.tif 000004
【図４】
0003915372.tif 000005
【図５】
0003915372.tif 000006
【図６】
0003915372.tif 000007
【図７】
0003915372.tif 000008
【図８】
0003915372.tif 000009